(57)【特許請求の範囲】
【請求項１】
シリンダの鍔部にキー孔と直交して配設され、キー孔へのキープレートの挿，脱により外端部がスライド孔より出，没して、該外端部前面の傾斜面にロッキングロッドをロック・アンロック作動するチェックレバーの後端が係脱するドッグと、
鍔部の周面にドッグ配設部の背部を形成止端として所要のリード角で鍔部前縁に亘って切欠形成され、チェックレバーの後端を受容、係合した状態でシリンダをＬＯＣＫ位置からＯＮ位置方向へ回動することにより、該チェックレバーの後端を前方へ摺接ガイドしてロッキングロッドをアンロック作動させるガイド溝と、
スライド孔の前縁部に形成され、シリンダのＯＮ位置からＬＯＣＫ位置への回動によりチェックレバーの後端をドッグの傾斜面に乗り上げ係合させるスロープ部を有するガイド突起と、を備え、
シリンダの前記ＬＯＣＫ位置でキープレートを引抜くことによりドッグが没入して、チェックレバーの後端を該ドッグの傾斜面からガイド溝の形成止端部へ後退転移させて、ロッキングロッドをロック作動させるようにしたステアリングロック装置において、
前記ガイド突起のスロープ部を、チェックレバーの後端が該スロープ部面上からドッグの傾斜面上へ乗り移る部分でこれら両者間に段差が生じない低角度の傾斜面として形成し、これらスロープ部面とドッグの傾斜面とをチェックレバー後端の移動方向で連続させたことを特徴とするステアリングロック装置。
【請求項２】
ドッグの傾斜面には、チェックレバーの後端がガイド突起のスロープ部面上から該傾斜面上へ乗り移ってくる側の側縁部に、前記スロープ部と略同じ角度の丸みをもった傾斜案内部を形成したことを特徴とする請求項１に記載のステアリングロック装置。
【請求項３】
ドッグを配設したスライド孔の外端部には、チェックレバーの後端がガイド突起のスロープ部面上からドッグの傾斜面上へ乗り移ってくる側の側縁部に、該ドッグの傾斜面からシリンダの鍔部の前面に亘って滑らかに連続する丸みをもった案内部を形成したことを特徴とする請求項１，２に記載のステアリングロック装置。
【請求項４】
案内部のドッグ側面と接する縁部を、該ドッグの傾斜面よりも若干低く形成したことを特徴とする請求項３に記載のステアリングロック装置。
【請求項５】
シリンダの鍔部にキー孔と直交して配設され、キー孔へのキープレートの挿，脱により外端部がスライド孔より出，没して、該外端部前面の傾斜面にロッキングロッドをロック・アンロック作動するチェックレバーの後端が係脱するドッグと、
鍔部の周面にドッグ配設部の背部を形成止端として所要のリード角で鍔部前縁に亘って切欠形成され、チェックレバーの後端を受容、係合した状態でシリンダをＬＯＣＫ位置からＯＮ位置方向へ回動することにより、該チェックレバーの後端を前方へ摺接ガイドしてロッキングロッドをアンロック作動させるガイド溝と、
スライド孔の前縁部に形成され、シリンダのＯＮ位置からＬＯＣＫ位置への回動によりチェックレバーの後端をドッグの傾斜面に乗り上げ係合させるスロープ部を有するガイド突起と、を備え、
シリンダの前記ＬＯＣＫ位置でキープレートを引抜くことによりドッグが没入して、チェックレバーの後端を該ドッグの傾斜面からガイド溝の形成止端部へ後退転移させて、ロッキングロッドをロック作動させるようにしたステアリングロック装置において、
前記ドッグの傾斜面の一側部に、シリンダの鍔部前面の略延長上に沿う縦面と該縦面と略直角な底面とを備えて、前記鍔部の前面に摺接してガイド突起のスロープ部面上に乗り上げてくるチェックレバーの後端を、該ドッグの傾斜面上へ案内する溝部を形成したことを特徴とするステアリングロック装置。
【請求項６】
溝部の縦面をシリンダの鍔部前面よりも後方へ若干低く形成すると共に、溝部の底面をガイド突起のスロープ部面よりも若干低く形成したことを特徴とする請求項５に記載のステアリングロック装置。
【請求項７】
ドッグを配設したスライド孔の外端部には、チェックレバーの後端がガイド突起のスロープ部面上からドッグの傾斜面上へ乗り移ってくる側の側縁部に、該ドッグの傾斜面からシリンダの鍔部の前面に亘って滑らかに連続する丸みを持った案内部を形成したことを特徴とする請求項５，６に記載のステアリングロック装置。
【請求項８】
案内部のドッグ側面と接する縁部を、該ドッグの傾斜面よりも若干低く形成したことを特徴とする請求項７に記載のステアリングロック装置。
【発明の詳細な説明】
【０００１】
【発明の属する技術分野】
本発明は自動車のステアリングロック装置に関する。
【０００２】
【従来の技術】
図８は本発明の対象とするステアリングロック装置を示すもので、１はシリンダ機構のハウジング、２はハウジング１内に係合固定したスリーブ、３はスリーブ２内に回転自在に配設したシリンダで、その中心部にキー孔４を形成してあり、該キー孔４に図外のキープレートを挿入することにより、複数のタンブラ５を引込めてスリーブ２との係合を外して回動し得るようになっている。
【０００３】
６はハウジング１とスリーブ２との間に配設されて図外のロッキングロッドをロック作動およびアンロック作動させるチェックレバーで、スプリング７により後方へ付勢してあると共に、スプリング８とボール９とによって後端６ａをシリンダ３の周面に向けて付勢してある。
【０００４】
このチェックレバー６はスプリング７のばね力に抗して前進させるとロッキングロッドをアンロック作動させ、後述するドッグ１２の作用によりスプリング７のばね力で後端６ａがガイド溝１４に入り込んだ位置まで後退移動するとロッキングロッドをロック作動させるものである。
【０００５】
図９〜１１は従来のシリンダ３の後端部の構造を示し、鍔部１０には、キー孔４と直交するスライド孔１１を形成してある。
【０００６】
このスライド孔１１には、キー孔４へのキープレートの挿，脱によって外端部がスライド孔１１より出，没するドッグ１２を配設してあり、該ドッグ１２の外端部前面にはチェックレバー６の後端６ａが係脱する傾斜面１３を形成してある。
【０００７】
鍔部１０の周面にはドッグ１２の配設部の背部を形成止端として所要のリード角で鍔部１０の前縁に亘って、前記チェックレバー６の後端６ａを受容係合するガイド溝１４を切欠形成してあり、キーシリンダ３をＬＯＣＫ位置からＯＮ位置方向へ回動することにより、チェックレバー６の後端６ａを前方へ摺接ガイドしてロッキングロッドをアンロック作動させるようにしてある。
【０００８】
チェックレバー６の後端６ａは前記シリンダ３のＯＮ位置への回動によりガイド溝１４から鍔部１０の前側に外れると、スプリング７，８のばね力によって鍔部１０の前面とシリンダ３の外周とに摺接し、それ以降のシリンダ３のＳＴＡＲＴ位置方向、又はＬＯＣＫ位置方向への回動によってこれら鍔部１０の前面とシリンダ３の外周に沿って摺動する。
【０００９】
ドッグ１２を配設したスライド孔１１の前縁部分には、スロープ部１６を有するガイド突起１５を形成してあり、シリンダ３を前記ＯＮ位置からＬＯＣＫ位置へ回動するとチェックレバー６の後端６ａがスロープ部１６で案内されてガイド突起１５の上縁に摺動し、鍔部１０の前面との係合が外れた位置でスプリング７のばね力でガイド突起１５の上縁からドッグ１２の傾斜面１３上に乗り移って該傾斜面１３に係合し、そして、該ＬＯＣＫ位置でシリンダ３からキープレートを引抜くことにより、ドッグ１２がスプリング７，８のばね力を受けてシリンダ３内に没入し、チェックレバー６の後端６ａがドッグ１２の傾斜面１３からガイド溝１４の形成止端部に後退転移し、ロッキングロッドをロック作動させるようになっている。
【００１０】
チェックレバー６の相対移動軌跡を図９に矢印ａで示している。
【００１１】
なお、図８中１７はキー孔４へのキープレートの挿脱によりスライド孔１８内を摺動し、スイッチレバー１９を揺動してキー検出スイッチ２０をオン、オフさせるスライダを示す。
【００１２】
この類似構造は、例えば特開平８−４２２１５号公報に示されている。
【００１３】
【発明が解決しようとする課題】
前述のようにシリンダ３をＯＮ位置からＬＯＣＫ位置へ回動すると、スロープ部１６でチェックレバー６の後端をガイド突起１５の上縁に摺動させ、図１１の実線で示す該ガイド突起１５上から同図の鎖線で示すようにドッグ１２の傾斜面１３上に乗り移させて係合させるようにしてあるが、このガイド突起１５の上縁と傾斜面１３との間には図９，１１に示すように段差が生じているため、該段差によってシリンダ３の回動にクリック感が生じて円滑な回動操作性が得られなくなってしまう。
【００１４】
また、シリンダ３を前記ＯＮ位置からＬＯＣＫ位置へ回動した後、シリンダ３からキープレートを引抜かないで、再びシリンダ３をＬＯＣＫ位置からＡＣＣ位置又はＳＴＡＲＴ位置へ回動するような場合、スライド孔１１の外端部の側縁部２１がドッグ１２の傾斜面１３の側方に張り出して段差が生じていることと、前述のように傾斜面１３とガイド突起１５の上縁との間に段差が生じていることによって、チェックレバー６の後端６ａがこれら側縁部２１およびガイド突起１５に引掛かり気味となって、この場合も円滑な回動操作性が得られなくなってしまう。
【００１５】
そこで、本発明はシリンダの回動にクリック感や引掛かりを生じることがなく、円滑な回動操作性を得ることができるステアリングロック装置を提供するものである。
【００１６】
【課題を解決するための手段】
請求項１の発明にあっては、シリンダの鍔部にキー孔と直交して配設され、キー孔へのキープレートの挿，脱により外端部がスライド孔より出，没して、該外端部前面の傾斜面にロッキングロッドをロック・アンロック作動するチェックレバーの後端が係脱するドッグと、
鍔部の周面にドッグ配設部の背部を形成止端として所要のリード角で鍔部前縁に亘って切欠形成され、チェックレバーの後端を受容、係合した状態でシリンダをＬＯＣＫ位置からＯＮ位置方向へ回動することにより、該チェックレバーの後端を前方へ摺接ガイドしてロッキングロッドをアンロック作動させるガイド溝と、  スライド孔の前縁部に形成され、シリンダのＯＮ位置からＬＯＣＫ位置への回動によりチェックレバーの後端をドッグの傾斜面に乗り上げ係合させるスロープ部を有するガイド突起と、を備え、
シリンダの前記ＬＯＣＫ位置でキープレートを引抜くことによりドッグが没入して、チェックレバーの後端を該ドッグの傾斜面からガイド溝の形成止端部へ後退転移させて、ロッキングロッドをロック作動させるようにしたステアリングロック装置において、
前記ガイド突起のスロープ部を、チェックレバーの後端が該スロープ部面上からドッグの傾斜面上へ乗り移る部分でこれら両者間に段差が生じない低角度の傾斜面として形成し、これらスロープ部面とドッグの傾斜面とをチェックレバー後端の移動方向で連続させたことを特徴としている。
【００１７】
請求項２の発明にあっては、請求項１に記載のドッグの傾斜面には、チェックレバーの後端がガイド突起のスロープ部面上から該傾斜面上へ乗り移ってくる側の側縁部に、前記スロープ部と略同じ角度の丸みをもった傾斜案内部を形成したことを特徴としている。
【００１８】
請求項３の発明にあっては、請求項１，２に記載のドッグを配設したスライド孔の外端部には、チェックレバーの後端がガイド突起のスロープ部面上からドッグの傾斜面上へ乗り移ってくる側の側縁部に、該ドッグの傾斜面からシリンダの鍔部の前面に亘って滑らかに連続する丸みをもった案内部を形成したことを特徴としている。
【００１９】
請求項４の発明にあっては、請求項３に記載の案内部のドッグ側面と接する縁部を、該ドッグの傾斜面よりも若干低く形成したことを特徴としている。
【００２０】
請求項５の発明にあっては、シリンダの鍔部にキー孔と直交して配設され、キー孔へのキープレートの挿，脱により外端部がスライド孔より出，没して、該外端部前面の傾斜面にロッキングロッドをロック・アンロック作動するチェックレバーの後端が係脱するドッグと、
鍔部の周面にドッグ配設部の背部を形成止端として所要のリード角で鍔部前縁に亘って切欠形成され、チェックレバーの後端を受容、係合した状態でシリンダをＬＯＣＫ位置からＯＮ位置方向へ回動することにより、該チェックレバーの後端を前方へ摺接ガイドしてロッキングロッドをアンロック作動させるガイド溝と、
スライド孔の前縁部に形成され、シリンダのＯＮ位置からＬＯＣＫ位置への回動によりチェックレバーの後端をドッグの傾斜面に乗り上げ係合させるスロープ部を有するガイド突起と、を備え、
シリンダの前記ＬＯＣＫ位置でキープレートを引抜くことによりドッグが没入して、チェックレバーの後端を該ドッグの傾斜面からガイド溝の形成止端部へ後退転移させて、ロッキングロッドをロック作動させるようにしたステアリングロック装置において、
前記ドッグの傾斜面の一側部に、シリンダの鍔部前面の略延長上に沿う縦面と該縦面と略直角な底面とを備えて、前記鍔部の前面に摺接してガイド突起のスロープ部面上に乗り上げてくるチェックレバーの後端を、該ドッグの傾斜面上へ案内する溝部を形成したことを特徴としている。
【００２１】
請求項６の発明にあっては、請求項５に記載の溝部の縦面をシリンダの鍔部前面よりも後方へ若干低く形成すると共に、溝部の底面をガイド突起のスロープ部面よりも若干低く形成したことを特徴としている。
【００２２】
請求項７の発明にあっては、請求項５，６に記載のドッグを配設したスライド孔の外端部には、チェックレバーの後端がガイド突起のスロープ部面上からドッグの傾斜面上へ乗り移ってくる側の側縁部に、該ドッグの傾斜面からシリンダの鍔部の前面に亘って滑らかに連続する丸みを持った案内部を形成したことを特徴としている。
【００２３】
請求項８の発明にあっては、請求項７に記載の案内部のドッグ側面と接する縁部を、該ドッグの傾斜面よりも若干低く形成したことを特徴としている。
【００２４】
【発明の効果】
請求項１に記載の発明によれば、シリンダをＯＮ位置からＬＯＣＫ位置へ回動すると、チェックレバーの後端はシリンダの鍔部前面とシリンダ外周とに沿って摺動してガイド突起のスロープ部面上に案内され、鍔部前面との係合が外れた位置でドッグ前面の傾斜面上に乗り移るが、このスロープ部はチェックレバーの後端が鍔部前面との係合が外れた位置、即ち、該後端がスロープ部面上からドッグの傾斜面上へ乗り移る部分で、これらスロープ部面と傾斜面との間に段差が生じない低角度の傾斜面として形成してあって、スロープ部面とドッグの傾斜面とがチェックレバー後端の移動方向で連続しているため、該チェックレバー後端がスロープ部面上からドッグの傾斜面上へ乗り移る際にクリック感を生じることがなく、シリンダの回動操作を円滑にすることができる。
【００２５】
請求項２に記載の発明によれば、請求項１の発明の効果に加えて、ドッグの傾斜面には、チェックレバー後端がガイド突起のスロープ部面上から該傾斜面上へ乗り移ってくる側の後縁部には、スロープ部と略同じ角度の丸みをもった傾斜案内部を形成してあるため、シリンダを前記ＯＮ位置からＬＯＣＫ位置へ回動してチェックレバー後端がガイド突起のスロープ部上へ摺動する際に、該チェックレバー後端がドッグの傾斜面側縁部の丸みをもった傾斜案内部で案内されて該傾斜面側縁との引掛かり生じることがなく、従って、チェックレバー後端のスロープ部上への摺動を円滑に、即ち、シリンダの回動操作をより一層円滑に行うことができる。
【００２６】
請求項３に記載の発明によれば、請求項１，２の発明の効果に加えて、ドッグを配設したスライド孔の外端部には、チェックレバーの後端がガイド突起のスロープ部面上からドッグの傾斜面上へ乗り移ってくる側の側縁部に、該ドッグの傾斜面からシリンダの鍔部の前面に亘って滑らかに連続する丸みをもった案内部を形成してあるため、シリンダをＯＮ位置からＬＯＣＫ位置へ回動してチェックレバーの後端がドッグの傾斜面に係合している状態から、キープレートをシリンダから引抜かないで再びシリンダをＯＮ位置方向へ回動するような場合、チェックレバーの後端が前記丸みをもった案内部によってドッグの傾斜面上から鍔部の前面側へとスムーズに摺動して、スライド孔の側縁部に引掛かりを生じることがないので、この場合もシリンダの回動操作を円滑に行うことができる。
【００２７】
請求項４に記載の発明によれば、請求項３の発明の効果に加えて、案内部のドッグ側面と接する縁部を、該ドッグの傾斜面よりも若干低く形成してあるから、シリンダをＯＮ位置からＬＯＣＫ位置へ回動してチェックレバーの後端がドッグの傾斜面に係合している状態から、キープレートをシリンダから引抜かないで再びシリンダをＯＮ位置方向へ回動する場合に、チェックレバー後端の引掛かりをより確実に防止することができる。
【００２８】
請求項５に記載の発明によれば、シリンダをＯＮ位置からＬＯＣＫ位置へ回動すると、チェックレバーの後端はシリンダの鍔部前面とシリンダ外周とに沿って摺動してガイド突起のスロープ部面上に案内されるが、鍔部前面との係合が外れた位置で該チェックレバーの後端はドッグの傾斜面の一側部に設けられた溝部に捕捉される。
【００２９】
この溝部の縦面は鍔部前面の略延長上に沿って形成され、かつ、底面は該縦面と略直角に形成されているため、チェックレバーの後端が鍔部前面との係合が外れてドッグの傾斜面側へ移行する際に、該傾斜面の側縁との引掛かりを生じることがなくスムーズに溝部に案内されると共に、該チェックレバーの後端はスロープ部面と溝部の縦面とに摺接してスロープ部面上を上昇するのに伴って前記縦面から外れてドッグの傾斜面上へスムーズに案内され、従って、チェックレバー後端がスロープ部面上からドッグの傾斜面上へ乗り移る際にクリック感を生じることがなく、シリンダの回動操作を円滑にすることができる。
【００３０】
また、チェックレバー後端が前記鍔部前面との係合が外れると直ちに溝部の縦面に捕捉されて、該鍔部前面の略延長上へと相対移動が規制されることによって、該チェックレバー後端が前記鍔部前面との係合が外れた瞬間にドッグの傾斜面の上方へ落差をもって後退転移してクリック感を生じるのを回避することができる。
【００３１】
請求項６に記載の発明によれば、請求項５の発明の効果に加えて、溝部の縦面はシリンダの鍔部前面よりも後方へ若干低く形成してあり、また、底面はスロープ部面よりも若干低く形成してあるため、前記チェックレバーの後端が鍔部前面との係合が外れて溝部に案内される際に、チェックレバー後端が溝部の縦面側縁および底面側縁に引掛かることが全くなく、シリンダの回動操作をより一層円滑にすることができる。
【００３２】
請求項７に記載の発明によれば、請求項５，６の発明の効果に加えて、ドッグを配設したスライド孔の外端部には、チェックレバーの後端がガイド突起のスロープ部面上からドッグの傾斜面上へ乗り移ってくる側の側縁部に、該ドッグの傾斜面からシリンダの鍔部の前面に亘って滑らかに連続する丸みをもった案内部を形成してあるため、シリンダをＯＮ位置からＬＯＣＫ位置へ回動してチェックレバーの後端がドッグの傾斜面に係合している状態から、キープレートをシリンダから引抜かないで再びシリンダをＯＮ位置方向へ回動するような場合、チェックレバーの後端が前記丸みをもった案内部によってドッグの傾斜面上から鍔部の前面側へとスムーズに摺動して、スライド孔の側縁部に引掛かりを生じることがないので、この場合もシリンダの回動操作を円滑に行うことができる。
【００３３】
請求項８に記載の発明によれば、請求項７の発明の効果に加えて、案内部のドッグ側面と接する縁部を、該ドッグの傾斜面よりも若干低く形成してあるから、シリンダをＯＮ位置からＬＯＣＫ位置へ回動してチェックレバーの後端がドッグの傾斜面に係合している状態から、キープレートをシリンダから引抜かないで再びシリンダをＯＮ位置へ回動する場合に、チェックレバー後端の引掛かりをより確実に防止することができる。
【００３４】
【発明の実施の形態】
以下、本発明の実施形態を図面と共に前記従来の構成と同一部分に同一符号を付して詳述する。
【００３５】
図１〜３において、シリンダ機構のシリンダ３の後端部の鍔部１０には、キー孔４と直交するスライド孔１１を形成して、該スライド孔１１に前記キー孔４への図外のキープレートの挿，脱により外端部がスライド孔１１より出没するドッグ１２を配設してあって、該ドッグ１２の前面に図外のロッキングロッドをロック・アンロック作動するチェックレバー６の後端６ａが係脱する傾斜面１３を形成してある。
【００３６】
前記鍔部１０の周面にはドッグ１２の配設部の背部を形成止端として所要のリード角で鍔部１０の前縁に亘ってガイド溝１４を形成してあって、このガイド溝１４にチェックレバー６の後端６ａを受容、係合した状態でシリンダ３をＬＯＣＫ位置からＯＮ位置方向へ回動することにより、チェックレバー６の後端６ａをガイド溝１４に沿って前方へ摺動ガイドし、ロッキングロッドをアンロック作動させるようにしてある。
【００３７】
スライド孔１１の前縁部にはスロープ部１６を有するガイド突起１５を形成してあって、シリンダ３を前記ＯＮ位置からＬＯＣＫ位置へ回動してチェックレバー６の後端６ａを鍔部１０の前面とシリンダ３の外周に沿って摺接させた際に、該チェックレバー６の後端６ａをスロープ部１６面上へ案内して該ＬＯＣＫ位置でこの後端６ａをガイド突起１５上からドッグ１２の傾斜面１３上へ乗り上げ係合させ、このＬＯＣＫ位置でキープレートをシリンダ３から引抜くことにより、ドッグ１２が没入してチェックレバー６の後端６ａが前記傾斜面１３からガイド溝１４の形成止端部へ後退転移させて、ロッキングロッドをロック作動させるようにしてある。
【００３８】
以上の基本的な構成は前記従来のステアリングロック装置と同様であるが、前記ガイド突起１５のスロープ部１６は、シリンダ３をＯＮ位置からＬＯＣＫ位置へ回動してチェックレバー６の後端６ａがスロープ部１６面上からドッグ１２の傾斜面１３上へ乗り移る部分で、つまり、前記チェックレバー６の後端６ａが鍔部１０の前面との係合が外れる位置で、これらスロープ部１６面と傾斜面１３との間に段差が生じない低角度（従来のスロープ部１６を図２に仮想線で併記してある）の傾斜面として形成して、スロープ部１６面とドッグ１２の傾斜面１３とをチェックレバー６の後端６ａの移動方向で連続するようにしてある。
【００３９】
また、本実施形態では前記ドッグ１２の傾斜面１３には、チェックレバー６の後端６ａがガイド突起１５のスロープ部１６面上から該傾斜面１３上へ乗り移ってくる側の側縁部に、該スロープ部１６と略同じ角度の丸みをもった傾斜案内部２２を形成してある。
【００４０】
更に、前記ドッグ１５を配設したスライド孔１１の外端部の一側縁部、具体的には前述のようにシリンダ３をＯＮ位置からＬＯＣＫ位置へ回動した際に、チェックレバー６の後端６ａが鍔部１０の前面との係合が外れる位置を確定する側縁部２１に、前記ドッグ１２の傾斜面１３から鍔部１０の前面に亘って滑らかに連続する丸みをもった案内部２３を形成してある。
【００４１】
この案内部２３は全体的に丸みをもって形成する他に、該案内部２３を傾斜面として、ドッグ１２の側縁と接する縁部および鍔部１０の前面と連なる部分をそれぞれ丸みをもって形成することでもよい。
【００４２】
また、この案内部２３のドッグ１２側面と接する縁部は、該ドッグ２３の傾斜面１３よりも若干低くなるように形成してある。
【００４３】
以上の実施形態の構造によれば、シリンダ３のキー孔４に図外のキープレートを挿し込んでシリンダ３をＬＯＣＫ位置からＯＮ位置方向へ回動すると、チェックレバー６の後端はガイド溝１４の形成止端部から該ガイド溝１４に沿って前方へ摺動ガイドされ、図外のロッキングロッドをアンロック作動させる。
【００４４】
シリンダ３のＯＮ位置への回動によってチェックレバー６の後端６ａがガイド溝１４から鍔部１０の前側へ外れると、チェックレバー６に弾装したスプリング７，８のばね力によって該チェックレバー６の後端は鍔部１０の前面とシリンダ３の外周とに摺接し、それ以降のシリンダ３のＳＴＡＲＴ位置方向、又はＬＯＣＫ位置方向への回動によってこれら鍔部１０の前面とシリンダ３の外周に沿って摺動する。
【００４５】
シリンダ３を前記ＯＮ位置からＬＯＣＫ位置へ回動すると、チェックレバー６の後端６ａは前述のように鍔部１０の前面とシリンダ３の外周に沿って摺動してガイド突起１５のスロープ部１６面上に案内され、鍔部１０の前面との係合が外れた位置でスプリング７のばね力によりスロープ部１６面上の途中から該チェックレバー６の後端は図３の実線で示す状態から鎖線で示す状態へとドッグ１２前面の傾斜面１３上に乗り移るが、スロープ部１６はチェックレバー６の後端６ａが鍔部１０の前面との係合が外れて該後端６ａがスロープ部１６面上からドッグ１２の傾斜面１３上へ乗り移る部分で、これらスロープ部１６面と傾斜面１３との間に段差が生じない低角度の傾斜面として形成してあって、スロープ部１６面とドッグ１２の傾斜面１３とがチェックレバー６の後端６ａの移動方向で連続しているため、該チェックレバー６の後端６ａがスロープ部１６面上からドッグ１２の傾斜面１３上へ乗り移る際にクリック感が生じることがなく、シリンダ３のＯＮ位置からＬＯＣＫ位置への回動操作を円滑にすることができる。
【００４６】
また、前述のようにドッグ１２の傾斜面１３には、スライド孔１１の側縁部２１に隣接する側の側縁部に、スロープ部１６と略同じ角度の丸みをもった傾斜案内部２２を形成してあるため、シリンダ３を前記ＯＮ位置からＬＯＣＫ位置へ回動してチェックレバー６の後端６ａがガイド突起１５のスロープ部１６上へ摺動する際に、該チェックレバー６の後端６ａがドッグ１２の傾斜面１３の側縁部の傾斜案内部２２で案内されて該傾斜面１３の側縁との引掛かりを生じることがなく、従って、チェックレバー６の後端６ａのスロープ部１６上への摺動を円滑に、即ち、シリンダ３の前記ＯＮ位置からＬＯＣＫ位置への回動操作をより一層円滑に行うことができる。
【００４７】
シリンダ３をＬＯＣＫ位置にしてチェックレバー６の後端６ａをドッグ１２の傾斜面１３上に係合させた状態で、図外のキープレートをシリンダ３のキー孔４から引抜くと、ドッグ１２が前記後端６ａを介して作用するスプリング７，８のばね力でシリンダ３内に没入し、これによりチェックレバー６の後端６ａがドッグ１２の傾斜面１３上からガイド溝１４の形成止端部へ後退転移され、図外のロッキングロッドをロック作動させる。
【００４８】
一方、前述のようにシリンダ３をＬＯＣＫ位置にしてチェックレバー６の後端６ａをドッグ１２の傾斜面１３上に係合させた状態で、キープレートをシリンダ３のキー孔４から引抜かないでシリンダ３を再びＡＣＣ位置又はＳＴＡＲＴ位置へ回動する場合があるが、この時、スライド孔１１の外端部の側縁部２１には、ドッグ１２の傾斜面１３から鍔部１０の前面に亘って滑らかに連続する丸みをもった案内部２３を形成してあるため、この案内部２３によりチェックレバー６の後端６ａをドッグ１２の傾斜面１３上から鍔部１０の前面側へスムーズに摺動させて前記側縁部２１に引掛かりを生じることがなく、しかも、ガイド突起１５のスロープ部１６面とドッグ１２の傾斜面１３との間に段差がなくチェックレバー６の後端６ａが該スロープ部１６に引掛かることもないため、前記シリンダ３のＬＯＣＫ位置からＯＮ位置方向への再回動操作を円滑に行うことができる。
【００４９】
特に案内部２３のドッグ１２側面と接する縁部は、該ドッグ１２の傾斜面１３よりも若干低くなるように形成してあるので、前述の引掛かりを確実に防止することができる。
【００５０】
図４〜７は本発明の第２実施形態を示すもので、この実施形態では前述のドッグ１２の傾斜面１３の一側部、具体的にはチェックレバー６の後端がガイド突起１５のスロープ部１６面上へ乗り上げてくる側の側部に、シリンダ３の鍔部１０の前面の略延長上に沿う縦面２４ａと該縦面２４ａと略直角な底面２４ｂとを備えて、前記鍔部１０の前面に摺接してスロープ部１６面上に乗り上げてくるチェックレバー６の後端６ａを、該ドッグ１２の傾斜面１３上へ案内する溝部２４を形成してある。
【００５１】
溝部２４の底面２４ｂは縦面２４ａの上縁と平行に形成しても途中からスロープ部１６の下側となるので特に問題となることはないが、本実施形態ではこの底面２４ｂをスロープ部１６面と平行に形成してある。
【００５２】
この実施形態ではスロープ部１６を前記実施形態と同様にドッグ１２の傾斜面１３の幅寸法の略中央位置まで形成して、前記底面２４ｂをこのスロープ部１６面の傾斜角度に略合わせて傾斜してあるため、溝部２４は前記傾斜面１３の中央側へ向けて先すぼまりとなって該傾斜面１３に連なるように形成されている。
【００５３】
また、前記溝部２４の縦面２４ａはシリンダ３の鍔部１０の前面よりも後方へ若干低くなるように形成してあると共に、底面２４ｂはその側縁がスロープ部１６面よりも若干低くなるように形成してある。
【００５４】
一方、スライド孔１１の外端部の側縁部２１の構造に関しては、ドッグ１２の傾斜面１３から鍔部１０の前面に亘って滑らかに連続する丸みをもった案内部２３を形成してある点、および案内部２３のドッグ１２側面と接する縁部を、該ドッグ１２の傾斜面１３よりも若干低くなるように形成してある点は前記実施形態と全く同様である。
【００５５】
従って、この実施形態の構造によれば、シリンダ３をＯＮ位置へ回動してある状態からＬＯＣＫ位置へ回動すると、チェックレバー６の後端６ａは前述したようにシリンダ３の鍔部１０の前面とシリンダ３の外周とに沿って摺動してガイド突起１５のスロープ部１６面上に案内されるが、鍔部１０の前面との係合が外れた位置で該チェックレバー６の後端６ａは図６の鎖線で示すようにドッグ１２の傾斜面１３の一側部に設けられた溝部２４に捕捉される。
【００５６】
この溝部２４の縦面２４ａは鍔部１０の前面の略延長上に沿って形成され、かつ、底面２４ｂは該縦面２４ａと略直角に形成されているため、チェックレバー６の後端６ａが鍔部１０の前面との係合が外れてドッグ１２の傾斜面１３上へ移行する際に、該傾斜面１３の側縁との引掛かりを生じることがなくスムーズに溝部２４に案内されると共に、該チェックレバー６の後端６ａはスロープ部１６面と溝部２４の縦面２４ａとに摺接してスロープ部１６面上を上昇し、該スロープ部１６面が溝部２４の縦面２４ａの上縁と略同一高さとなった位置で前記後端６ａが縦面２４ａから外れて図６の実線で示すようにドッグ１２の傾斜面１３上へスムーズに案内される。
【００５７】
従って、チェックレバー６の後端６ａがガイド突起１５のスロープ部１６面上からドッグ１２の傾斜面１３上へ乗り移る際にクリック感を生じることがなく、シリンダ３の回動操作を円滑にすることができる。
【００５８】
特に本実施形態では溝部２４の縦面２４ａは鍔部１０の前面よりも後方へ若干低くなるように形成してあり、また、溝部２４の底面２４ｂの側縁はスロープ部１６面よりも若干低くなるように形成してあるため、前記チェックレバー６の後端６ａが鍔部１０の前面との係合が外れて溝部２４に案内される際に、チェックレバー６の後端６ａが溝部２４の縦面２４ａの側縁および底面２４ｂの側縁に引掛かりを生じることが全くなく、シリンダ３のＯＮ位置からＬＯＣＫ位置への回動操作をより一層円滑にすることができる。
【００５９】
また、チェックレバー６の後端６ａが前記鍔部１０の前面との係合が外れると、直ちに溝部２４に案内されてその縦面２４ａに捕捉されて、該鍔部１０の前面の略延長上へと相対移動が規制されることによって、該チェックレバー６の後端６ａが前記鍔部１０の前面との係合が外れた瞬間に一気に前記図６の実線で示すドッグ１２の傾斜面１３の上方位置に落差をもって後退転移してクリック感を生じるのを回避することができる。
【００６０】
一方、シリンダ３をＬＯＣＫ位置に回動してチェックレバー６の後端６ａをドッグ１２の傾斜面１３上に係合させた状態で、キープレートをシリンダ３のキー孔４から引抜かないでシリンダ３を再びＡＣＣ位置又はＳＴＡＲＴ位置へ回動するような場合には、前記第１実施形態と同様にスライド孔１１の外端部の側縁部２１には、ドッグ１２傾斜面１３から鍔部１０の前面に沿って滑らかに連続する丸みをもった案内部２３を形成してあり、しかも、該案内部２３のドッグ１２側面と接する縁部は、該ドッグ１２の傾斜面１３よりも若干低くなるように形成してあるので、この案内部２３によりチェックレバー６の後端６ａをドッグ１２の傾斜面１３上から鍔部１０の前面側へスムーズに摺動させて前記側縁部１２に引掛かりを生じることがなく、シリンダ３のＬＯＣＫ位置からＯＮ位置への再回動操作を円滑に行うことができる。
【００６１】
前述のシリンダ３をＯＮ位置からＬＯＣＫ位置へ回動し、そしてこのロック位置からキープレートを抜かないで再びシリンダ３をＯＮ位置へ回動した時のチェックレバー６の後端６ａの移動軌跡を図４，７に矢印ｂで示す。
【図面の簡単な説明】
【図１】本発明の第１実施形態のシリンダとチェックレバーとの関係を示す斜視図。
【図２】図１のＡ矢視図。
【図３】図２のＢ−Ｂ線に沿う断面図。
【図４】本発明の第２実施形態のシリンダとチェックレバーとの関係を示す斜視図。
【図５】図４のＣ矢視図。
【図６】図５のＤ−Ｄ線に沿う断面図。
【図７】図５のＥ−Ｅ線に沿う断面図。
【図８】本発明の対象とするシリンダ機構の断面図。
【図９】従来の構造のシリンダとチェックレバーとの関係を示す斜視図。
【図１０】図７のＦ矢視図。
【図１１】図１０のＧ−Ｇ線に沿う断面図。
【符号の説明】
３  シリンダ
４  キー孔
６  チェックレバー
６ａ  チェックレバーの後端
１０  鍔部
１１  スライド孔
１２  ドッグ
１３  傾斜面
１４  ガイド溝
１５  ガイド突起
１６  スロープ部
２１  スライド孔の側縁部
２２  傾斜案内部
２３  案内部
２４  溝部
２４ａ  縦面
２４ｂ  底面
【図１】
0003747622.tif 000002
【図２】
0003747622.tif 000003
【図３】
0003747622.tif 000004
【図４】
0003747622.tif 000005
【図５】
0003747622.tif 000006
【図６】
0003747622.tif 000007
【図７】
0003747622.tif 000008
【図８】
0003747622.tif 000009
【図９】
0003747622.tif 000010
【図１０】
0003747622.tif 000011
【図１１】
0003747622.tif 000012